(57)【要約】【課題】少ない手間ですむとともに、省部材化を図ることができるようになる準耐火建物の防火構造を提供する。【解決手段】両面に石膏ボード２３が張られた壁パネル２０Ａ等の一方の面の石膏ボード２３を、階段１０の側面形状に切り欠き、その切り欠き部２３Ａに、階段１０の一方のささら桁１１Ａを嵌め込み、釘打ちで打ちつけて階段１０を取り付けるとともに、階段１０のささら桁１１Ａの下面に石膏ボード１５を張り付ける。これにより、少ない手間で防火構造とすることができ、また、従来のように木質セメント板を設ける必要がなくなり、省部材化を図ることができる。【選択図】　図１
2004100293.tif 000002
【特許請求の範囲】
【請求項１】
両面に防火被覆部材が張られるとともに、建物を構成する第１の主要構成部材と、
前記建物を構成しかつ前記第１の主要構成部材に接合される第２の主要構成部材と、
前記第１の主要構成部材と前記第２の主要構成部材とを連結し、かつ準耐火基準を満たし前記防火被覆部材よりも厚い厚さ寸法に形成された木製の取付け下地材とを備えて構成され、
この取付け下地材の前記第１の主要構成部材への取付けは、前記第１の主要構成部材における一方の面に前記防火被覆部材を介さずに取り付けられ、前記第１の主要構成部材における一方の面には、前記取付け下地材の一側面形状に合わせた防火被覆部材の被施行部分が形成されていることを特徴とする準耐火建物の防火構造。
【請求項２】
請求項１に記載の準耐火建物の防火構造において、
前記第１の主要構成部材は建物の壁部材で構成され、前記第２の主要構成部材は一側面が前記壁部材に接して設けられる階段で構成され、前記取付け下地材は前記階段における対向する２枚のささら桁のうち一方のささら桁で構成されていることを特徴とする準耐火建物の防火構造。
【請求項３】
請求項１に記載の準耐火建物の防火構造において、
前記第１の主要構成部材は建物の壁部材であり、前記第２の主要構成部材は床パネルであり、前記取付け下地材は前記床パネルを支持する受部材であることを特徴とする準耐火建物の防火構造。
【請求項４】
請求項１ないし請求項３のいずれかに記載の準耐火建物の防火構造において、前記取付け下地材は、３０ｍｍ以上の厚さを有していることを特徴とする準耐火建物の防火構造。
【請求項５】
請求項２または請求項４に記載の準耐火建物の防火構造において、前記取付け下地材と壁部材に取付けられた防火被覆部材の前記被施行部分以外の部位とは密着して連続していることを特徴とする準耐火建物の防火構造。
【発明の詳細な説明】
【０００１】
【発明の属する技術分野】
本発明は、準耐火建物の防火構造に関する。
【０００２】
【背景技術】
従来の耐火構造に準ずる耐火性能を有するものとして準耐火構造が知られている。この準耐火構造の有する耐火性能は、法規により、建築物の部分の種類ごとに通常の火災時の加熱に一定時間以上耐える性能とされている。そして、準耐火構造の建築物としては、在来の木造軸組工法、枠組み工法、木質系のプレハブ工法等の木造の建物が主である。
このような準耐火構造の建物において、例えば木造の階段では、法規上、階段を構成する段板、ささら桁等の構造上主要な部材の厚さが所定寸法以上あれば、防火被覆は不要とされているが、決められた寸法未満の厚さの部材で構成されている場合、所定の防火被覆を設けなければならないと決められている。
このような準耐火構造の建物として、例えば、階段付き建物が知られている（特許文献１参照）。
【０００３】
【特許文献１】
【０００４】
特開平９−５３３１１号公報（第１頁、第２頁、図１）。
【０００５】
【発明が解決しようとする課題】
ところで、従来の準耐火構造の建物における木造の階段と壁との接合構造として、図５に示されるような構造がある。すなわち、この接合構造において、階段１０は、その幅方向両側面のささら桁（側板）５と、当該ささら桁５に設けられた複数枚の段板１２と、け込み板とを含み構成され、段板１２には化粧部材１４が設けられている。両ささら桁５の下面間には法規に準じた所定厚さの石膏ボード１５が架けわたされている。
一方、壁部材としての壁パネル２０は、縦心材２１Ａ、横桟２１Ｂを含む枠体２１と、この枠体２１の両面に張られた面材２２とを備えて形成され、両面材２２の外側には、防火被覆部材としての石膏ボード２３が設けられている。
【０００６】
このような壁パネル２０に対して階段１０を取付けるには、ささら桁５を釘２４により壁パネル２０に打ち付けて行っている。この場合、石膏ボード２３を貫通させて釘打ちすると、石膏ボード２３に釘がきかないため、石膏ボード２３の一部を切り欠いて、その切り欠き部に、例えば硬質木片セメント板２５を入れ、この硬質木片セメント板２５を介してささら桁５を釘打ち等で壁パネル２０に取付けている。そのため、ささら桁５の取付け強度が確保されている。
【０００７】
しかし、従来の階段の準耐火構造では、まず、壁パネル２０の石膏ボード２３の一部を切り欠いた後、その切り欠き部に硬質木片セメント板２５を入れ、この硬質木片セメント板２５を介してささら桁５を取付けている。そのため、作業の手間が多くかかるとともに、ささら桁５の取付けに硬質木片セメント板２５も必要となり、部材が多くかかるという問題がある。
【０００８】
本発明の目的は、少ない手間ですむとともに、省部材化を図ることができるようになる準耐火建物の防火構造を提供することにある。
【０００９】
【課題を解決するための手段】
請求項１に記載の発明は、図面を参照して説明すると、図１に示すように、両面に防火被覆部材２３が張られるとともに、建物を構成する第１の主要構成部材２０と、前記建物を構成しかつ前記第１の主要構成部材２０に接合される第２の主要構成部材１０と、前記第１の主要構成部材２０と前記第２の主要構成部材１０とを連結し、かつ準耐火基準を満たし前記防火被覆部材よりも厚い厚さ寸法に形成された木製の取付け下地材１１Ａとを備えて構成され、この取付け下地材１１Ａの前記第１の主要構成部材２０への取付けは、前記第１の主要構成部材２０における一方の面に前記防火被覆部材２３を介さずに取り付けられ、前記第１の主要構成部材２０における一方の面には、前記取付け下地材１１Ａの一側面形状に合わせた防火被覆部材２３の被施行部分２３Ａが形成されていることを特徴とする準耐火建物の防火構造である。
【００１０】
このような本発明によれば、第１の主要構成部材の一方の面の防火被覆部材に被施行部分が形成され、この被施行部分に取付け下地材を嵌め込んだ後、固定すれば、取付け下地材に連結された第２の主要構成部材を第１の主要構成部材に接合することができる。その結果、少ない手間で準耐火構造とすることができる。また、第１の主要構成部材の一方の面の防火被覆部材と、準耐火基準を満たし防火被覆部材よりも厚い厚さ寸法に形成された取付け下地材とが連続し、かつ第２の主要構成部材の１面に防火被覆部材が張られているので、従来のように木質セメント板を設ける必要がなくなり、省部材化を図ることができる。
【００１１】
請求項２に記載の発明は、図１に示すように、請求項ｌに記載の準耐火建物の防火構造において、前記第１の主要構成部材は建物の壁部材２０で構成され、前記第２の主要構成部材は一側面が前記壁部材に接して設けられる階段１０で構成され、前記取付け下地材は前記階段における対向する２枚のささら桁のうち一方のささら桁１１Ａで構成されていることを特徴とするものである。
【００１２】
このような本発明によれば、壁部材に階段を接合するのに、２枚のささら桁のうち一方のささら桁を取付け下地材として利用しているので、取付け下地材を別個に設けなくてもよく、この点でも省部材化を図ることができる。
【００１３】
請求項３に記載の発明は、図４に示すように、請求項ｌに記載の準耐火建物の防火構造において、前記第１の主要構成部材は建物の壁部材４０であり、前記第２の主要構成部材は床パネル３０であり、前記取付け下地材は前記床パネル３０を支持する受部材４５であることを特徴とするものである。
このような本発明によれば、壁部材の防火被覆部材の被施行部分に床パネルおよび受部材を嵌め込めば、受部材が防火被覆材となり得るため、耐火性能が満足され、かつ、少ない手間ですむ。
【００１４】
請求項４に記載の発明は、図２に示すように、請求項ｌないし請求項３のいずれかに記載の準耐火建物の防火構造において、前記取付け下地材１１Ａは、３０ｍｍ以上の厚さを有していることを特徴とするものである。
このような本発明によれば、準耐火基準を満たすことができる最低の厚さに形成することができるので、他の防火被覆部材は不要である。
【００１５】
請求項５に記載の発明は、図２に示すように、請求項２または請求項４に記載の準耐火建物の防火構造において、前記取付け下地材１１Ａと壁部材２０に取付けられた防火被覆部材２３の被施行部分２３Ａ以外の部位とは密着して連続していることを特徴とするものである。
このような本発明によれば、取付け下地材を防火被覆部材の被施行部分に取り付けたとき、取付け下地材が被施行部分以外の防火被覆部材と連続しているので、取付け下地材と防火被覆部材との隙間から火の侵入を防止でき、これにより、充分に準耐火基準を満たす防火構造とすることができる。
【００１６】
【発明の実施の形態】
以下に、本発明に係る建物の防火構造を図面に基づいて説明する。
図１，２には、第１実施形態の建物の防火構造が示され、具体的には、階段と壁パネルとの取り合い部の防火構造が示されている。この実施形態において、前記従来の防火構造での各部材と同一部材には同一符号を付すとともに、その詳細な説明は、省略または簡略化する。
【００１７】
建物を構成する第１の主要構成部材である前記壁部材２０に設けられるとともに、建物を構成する第２の主要構成部材である階段１０は、その幅方向両側面のささら桁１１と、当該ささら桁１１に設けられた複数枚の段板１２と、け込み板１３とを含み構成され、段板１２には化粧部材１４が設けられている。また、ささら桁１１の下面間には、準耐火構造の基準を満たす所定厚さの石膏ボード１５が架けわたされており、この石膏ボード１５により階段１０のささら桁１１、段板１２、け込み板１３および化粧部材１４の下面が塞がれている。
【００１８】
前記壁部材２０は、複数の壁パネル２０Ａ、２０Ｂ、２０Ｃで構成されており、この場合、階段１０の一方のささら桁１１Ａが３枚の壁パネル２０Ａ、２０Ｂ、２０Ｃの側面に釘打ちで固定されるようになっており、上記一方のささら桁１１Ａにより取付け下地材が構成されている。
壁パネル２０Ａ、２０Ｂ、２０Ｃに張り付けられている石膏ボード２３のうち、階段側の石膏ボード２３には、一方のささら桁１１Ａを嵌め込める形状、つまり、階段の側面形状に切り欠かれた被施行部分としての切り欠き部２３Ａが形成され、この切り欠き部２３Ａには、各壁パネル２０Ａ、２０Ｂ、２０Ｃの面材２２が現れている。階段１０の取付けに際しては、ささら桁１１Ａを切り欠き部２３Ａに嵌め込んだ後、釘２４を打ち付けて行う。
【００１９】
ここで、ささら桁１１Ａは、例えば、厚さ寸法Ｌが３０ｍｍ以上の合板で形成されており、準耐火構造の基準を満たすように設定されている。また、ささら桁１１Ａが切り欠き部２３Ａに嵌め込まれ、固定されたとき、ささら桁１１Ａと石膏ボード２３とが連続し、準耐火構造が構成されるようになっている。
【００２０】
次に、以上のような第１実施形態の階段１０の設置作業を説明する。
予め、壁パネル２０Ａ、２０Ｂ、２０Ｃの石膏ボード２３を階段１０の一方のささら桁１１Ａの形状に切り欠いておき、予め、ささら桁１１、段板１２およびけ込み板１３を組み込んで形成された階段１０を、一方のささら桁１１Ａを切り欠き部２３Ａに嵌め込み、階段１０の内部からささら桁１１Ａを各壁パネル２０Ａ、２０Ｂ、２０Ｃの縦心材２１Ａに向けて釘２４を打ちつけて取付ける。釘打ち箇所は、階段１０を強固に固定することができればよく、例えば、各段板１２に対応する位置に打ち付ければよい。
階段１０の壁部材２０への取付けが完了したら、２枚のささら桁１１の下面間に石膏ボード１５を架けわたし、準耐火構造の階段１０を完成させる。
【００２１】
このような第１実施形態によれば、次のような効果がある。
（１）　３枚の壁パネル２０Ａ、２０Ｂ、２０Ｃの階段１０側の石膏ボード２３に、ささら桁１１Ａの形状の切り欠き部２３Ａが形成され、この切り欠き部２３Ａに階段１０を構成するささら桁１１のうち一方のささら桁１１Ａを嵌め込み、釘打ちで取付けることで、壁部材２０と階段１０とを接合することができる。ささら桁１１Ａは、準耐火構造の基準を満たす厚さ寸法Ｌが３０ｍｍ以上の合板で形成されており、このささら桁１１Ａと切り欠き部２３Ａ以外の石膏ボード２３とを連続させればよいので、少ない手間で、準耐火基準を満たす防火構造とすることができる。
【００２２】
（２）　石膏ボード２３の切り欠き部２３Ａに一方のささら桁１１Ａを嵌め込み、各壁パネル２０Ａ、２０Ｂ、２０Ｃの枠体２１に釘打ちで取付けることで、前述のように、準耐火基準を満たす上に、壁部材２０と階段１０とを接合することができる。従って、従来のような硬質木片セメント板が不要となり、省部材化を図ることができる。
（３）　階段１０と壁部材２０との接合は、一方のささら桁１１Ａを釘打ちで直接各壁パネル２０Ａ、２０Ｂ、２０Ｃの枠体２１に取付けて行われるので、階段１０と壁部材２０との接合を強固なものとすることができる。
【００２３】
次に、図３に基づいて本発明の第２実施形態を説明する。
本実施形態は、ささら桁受け部材３５を介して階段１０を壁部材２０に取り付けたものである。この実施形態の階段１０は、ささら桁１１Ｃを壁部材２０から離して取り付けるタイプの階段である。
この実施形態および以下の他の実施形態において、前記従来および第１実施形態における各部材と同一部材には同一符号を付すとともに、その詳細な説明は、省略または簡略化する。
【００２４】
階段１０の段板１２、化粧部材１４の一端および一方のささら桁１１Ｃの側面は、壁部材２０の階段側の石膏ボード２３に接触しない位置に配置され、このささら桁１１Ｃは、取り付け下地材としてのささら桁受け部材３５の上端面に固着されている。ささら桁受け部材３５の外側側面は、壁部材２０の面材２２に当接されるとともに、釘２４を壁パネルの枠体２１の縦心材２１Ａに直接打ち付けて取り付けられている。ささら桁受け部材３５は、厚さ寸法Ｌが３０ｍｍ以上の合板で角形のブロック状に形成されている。階段１０の下面の石膏ボード１５は、ささら桁受け部材３５の幅方向途中位置に当接、固定され、壁部材２０の階段側の石膏ボード２３に接触していない状態となっている。
また、壁パネルの室内側の石膏ボード２３には、角形のブロック状のささら桁受け部材３５が嵌め込まれる被施工部分としての切り欠き穴２３Ｂが、それぞれの段板１２に対応してあけられている。
なお、石膏ボード１５は設けなくてもよい。
【００２５】
次に、以上のような第２実施形態の階段１０の設置作業を説明する。
予め、壁パネル２０Ａ、２０Ｂ、２０Ｃの石膏ボード２３を、順次階段の段板に沿って設けられる複数のささら桁受け部材３５の形状に切り欠いておき、予め、ささら桁１１Ｃ、段板１２およびけ込み板１３をささら桁受け部材３５に組み込んで形成された階段１０を、ささら桁１１Ｃを切り欠き部２３Ｂに嵌め込み、階段１０の内部からささら桁受け部材３５を各壁パネル２０Ａ、２０Ｂ、２０Ｃの縦心材２１Ａに向けて釘２４を打ちつけて取付ける。
階段１０の壁部材２０への取付けが完了したら、一方のささら桁１１からささら桁受け部材３５の高さ方向途中位置に向けて石膏ボード１５を架けわたし、準耐火構造の階段１０を完成させる。
【００２６】
このような実施形態によれば、次のような効果がある。
（４）　壁パネル２０Ａ等の階段１０側の石膏ボード２３に、ささら桁受け部材３５の形状の切り欠き部２３Ｂが形成され、この切り欠き部２３Ｂに階段１０を支持するささら桁受け部材３５を嵌め込み、釘打ちで取付けることで、壁部材２０と階段１０とを接合することができる。ささら桁受け部材３５は、厚さ寸法Ｌが３０ｍｍ以上の合板で形成されており、このささら桁受け部材３５と切り欠き部２３Ｂ以外の石膏ボード２３とを連続させることで、壁部材２０と階段１０のささら桁１１を離して設けるタイプの階段の場合でも、少ない手間で、準耐火基準を満たす防火構造とすることができる。
（５）ささら桁受け部材３５により、壁部材２０と階段１０とを接合することで準耐火構造を構成することができる。従って、壁部材２０と階段１０のささら桁１１を離して設ける場合に、従来、その間隔を調整するために用いられていた調整部材が不要になり、省部材化を図ることができる。
（６）　階段１０と壁部材２０との接合は、ささら桁受け部材３５を釘打ちで直接壁パネル２０Ａ等の枠体２１に取付けて行われるので、階段１０と壁部材２０との接合を強固なものとすることができる。
【００２７】
次に、図４に基づいて本発明の第３実施形態を説明する。
本実施形態は、通常の高さの室内を構成する第１の主要構成部材である壁部材４０の高さ方向途中位置に、第２の主要構成部材であるサブ床パネル３０を設けたものである。
サブ床パネル３０は、所定高さの複数本の根太３１と、これらの根太３１の上面に支持された床面材３２と、根太３１の下面に設けられた天井面材３３とを含み構成され、複数本の根太３１は、切り欠き部３１Ａの一部を取付け下地材としての受木４５の上端面に載せて支持されている。
【００２８】
以上のようなサブ床パネル３０が設けられる部位の壁部材４０は、前記壁部材２０と同じような構造とされ、並設された図は省略するが、複数枚の壁パネル４０Ａ、４０Ｂ、４０Ｃで構成されている。各壁パネル４０Ａ、４０Ｂ、４０Ｃは、それぞれ縦心材４１Ａ、横桟４１Ｂを含む枠体４１と、この枠体４１の両面に張られた面材４２とを備えて形成され、両面材４２の外側には、防火被覆部材としての石膏ボード４３が設けられている。石膏ボード４３のうち、サブ床パネル３０側の石膏ボード４３には、前記受木４５およびこの受木４５に支持されるサブ床パネル３０を嵌め込めるような被施行部分としての切り欠き部４３Ａが形成されている。
【００２９】
前記受木４５は、前記石膏ボード１５の切り欠き部４３Ａ内に嵌め込まれるとともに、各壁パネル４０Ａ、４０Ｂ、４０Ｃの横桟４１Ｂに対応しており、受木４５の側面から横桟４１Ｂに向けて釘２４を直接打ちつける等して取付けられている。
そして、受木４５の下端面と切り欠かれた石膏ボード４３の上端とが当接するように寸法設定されている。受木４５は、壁部材４０の幅に対応した長さに連続しており、準耐火構造の基準を満たすように、厚さ寸法Ｌが３０ｍｍ以上の合板で形成されている。
【００３０】
次に、第３実施形態のサブ床パネル３０の設置作業を説明する。
予め、壁部材４０を構成する壁パネル４０Ａ、４０Ｂ、４０Ｃの石膏ボード４３をサブ床パネル３０および受木４５を嵌め込める形状に切り欠いておき、受木４５を壁パネル４０Ａ、４０Ｂ、４０Ｃの２本の横桟４１Ｂの部位に対向させるとともに、受木４５の側面からそれぞれの横桟４１Ｂに向けて釘２４を打ち付け、受木４５を壁部材４０に取付ける。
その後、根太３１、床面材３２および天井面材３３でなるサブ床パネル３０を、根太３１の切り欠き部３１Ａを受木４５の上端面に載せるとともに、床面材３２の端部を、石膏ボード４３の切り欠き部４３Ａ内に差し込んで壁部材４０に取付ける。
【００３１】
このような実施形態によれば、次のような効果がある。
（７）　壁部材４０を構成する各壁パネル４０Ａ、４０Ｂ、４０Ｃのサブ床パネル３０側の石膏ボード４３に、サブ床パネル３０および受木４５の一方側面形状の切り欠き部４３Ａが形成され、この切り欠き部４３Ａに受木４５を嵌め込み、釘打ちで取付け、この受木４５にサブ床パネル３０を取り付けることで、壁部材２０とサブ床パネル３０とを接合することができる。受木４５は、厚さ寸法Ｌが３０ｍｍ以上の合板で形成されており、この３０ｍｍ以上の厚さ寸法は、準耐火構造の基準を満たすので、受木４５と切り欠き部４３Ａ以外の石膏ボード４３および天井面材３３とを連続させるだけの少ない手間で、準耐火基準を満たす防火構造とすることができる。
【００３２】
（８）　石膏ボード４３の切り欠き部４３Ａに受木４５を嵌め込み、壁パネル４０Ａ、４０Ｂ、４０Ｃの枠体４１に釘打ちで取付けることで、壁部材２０と階段１０とを接合することができる。枠体４１に直接釘打ちするので、サブ床パネル３０と壁部材２０との接合を強固なものとすることができる。
【００３３】
なお、本発明は前記各実施形態に限定されるものではなく、本発明の目的を達成できるものであれば、次のような変形形態でもよいものである。
例えば、前記第１，２実施形態では壁部材２０と階段１０との接合、第３実施形態では壁部材４０とサブ床パネル３０との接合であったが、これに限らず、両面に耐火被覆材である石膏ボードが張られた壁部材に、石膏ボードの一部を切り欠き、その部分に建物の主要構成部材を取付けるような接合であれば、他の場合にも適用することができる。
また、前記第１実施形態では、ささら桁１１の下面間の石膏ボード１５と、壁パネル２０Ａ等の階段側の石膏ボード２３とは当接されているが、これに限らず、石膏ボード１５と、石膏ボード２３とは当接されていなくてもよい。
【００３４】
【発明の効果】
以上に説明したように、請求項１の発明によれば、第１の主要構成部材の一方の面の防火被覆部材に被施行部分が形成され、この被施行部分に取付け下地材を嵌め込んだ後、固定すれば、取付け下地材に連結された第２の主要構成部材を第１の主要構成部材に接合することができる。その結果、少ない手間で準耐火構造とすることができる。また、第１の主要構成部材の一方の面の防火被覆部材と、準耐火基準を満たす厚さ寸法に形成された取付け下地材とが連続し、かつ第２の主要構成部材の１面に防火被覆部材が張られているので、従来のように木質セメント板を設ける必要がなくなり、少ない部材で構成することができる。
【００３５】
請求項２に記載の発明によれば、壁部材に階段を接合するのに、２枚のささら桁のうち一方のささら桁を取付け下地材として利用しているので、取付け下地材を別個に設けなくてもよく、この点でも省部材化を図ることができる。
【００３６】
請求項３に記載の発明によれば、壁部材の防火被覆部材を被施行部分に床パネルおよび受部材を嵌め込めば、受部材が防火被覆材となり得るため、耐火性能が満足され、かつ、少ない手間ですむ。
【００３７】
請求項４に記載の発明によれば、準耐火基準を満たすことができる最低の厚さに形成することができるので、他の防火被覆部材は不要である。
【００３８】
請求項５に記載の発明によれば、取付け下地材を防火被覆部材の被施行部分に取り付けたとき、取付け下地材が被施行部分以外の防火被覆部材と連続しているので、取付け下地材と防火被覆部材との隙間から火の侵入を防止でき、これにより、充分に準耐火基準を満たす防火構造とすることができる。
【図面の簡単な説明】
【図１】本発明に係る第１実施形態を示す全体斜視図である。
【図２】前記第１実施形態の壁部材と階段との接合部を示す縦断面図である。
【図３】本発明に係る第２実施形態を示す縦断面図である。
【図４】本発明に係る第３実施形態を示す縦断面図である。
【図５】従来例に係る壁部材と階段との接合部を示す縦断面図である。
【符号の説明】
１０　　階段
１１　　ささら桁
１１Ａ　取付け下地材である一方のささら桁
２０　　壁部材である壁パネル
２３　　防火被覆部材である石膏ボード
２３Ａ　被施工部分である切り欠き部
２３Ｂ　被施工部分である切り欠き部
３０　　サブ床パネル
３５　　取付け下地材であるささら桁受け部材
４０　　壁部材である壁パネル
４３　　防火被覆部材である石膏ボード
４５　　取付け下地材である受木
【図１】
2004100293.tif 000003
【図２】
2004100293.tif 000004
【図３】
2004100293.tif 000005
【図４】
2004100293.tif 000006
【図５】
2004100293.tif 000007